(57)【特許請求の範囲】
【請求項１】
真空容器と、
上記真空容器の内部を所定の真空度に維持する維持手段と、
上記真空容器内にプラズマを発生させるためのガスを供給する供給手段と、
上記真空容器内にプラズマを発生させるため上記真空容器内に設けられた電極と、
上記電極に電圧を印加する印加手段と、
上記維持手段と上記印加手段とを制御する制御手段とを備え、
上記供給手段は、上記真空容器内の、上記電極の近傍に設けられたガス供給口と上記電極から離れた位置に設けられたガス供給口から、上記真空容器内に複数種類のガスを供給し、
上記制御手段は、上記維持手段により維持される上記真空度、及び、上記印加手段により印加される電圧値を制御するとともに、上記印加手段と上記電極との間に接続される可変抵抗体の抵抗値を制御することによって上記電極間に流れる電流値を制御して、上記真空容器内に供給するガスの種類の組み合わせに応じた空間的に異なる色のオーロラを発生させることを特徴とするオーロラ発生装置。
【請求項２】
上記供給手段は、上記真空容器内にヘリウムと酸素を供給して、黄緑色のオーロラを発生させることを特徴とする請求項１に記載のオーロラ発生装置。
【請求項３】
上記供給手段は、上記真空容器内にヘリウムと二酸化炭素を供給して、青白色のオーロラを発生させることを特徴とする請求項１記載のオーロラ発生装置。
【請求項４】
上記供給手段は、上記真空容器内にヘリウムとネオンを供給して、肌色のオーロラを発生させることを特徴とする請求項１記載のオーロラ発生装置。
【請求項５】
上記供給手段は、上記真空容器内に酸素とアルゴンを供給して、白色のオーロラを発生させることを特徴とする請求項１記載のオーロラ発生装置。
【請求項６】
上記供給手段は、上記電極の近傍に設けられたガス供給口と上記電極から離れた位置に設けられたガス供給口から上記真空容器内にヘリウムと窒素を供給し、ヘリウムによる緑色と窒素による赤紫色のオーロラを発生させることを特徴とする請求項１記載のオーロラ発生装置。
【請求項７】
上記供給手段は、上記真空容器内に供給するガスの種類を変えることにより、時系列的に異なる色のオーロラを発生させることを特徴とする請求項１記載のオーロラ発生装置。
【請求項８】
上記供給手段は、ヘリウム、酸素、二酸化炭素、窒素、アルゴン、ネオン、のいずれか二種類のガスを上記真空容器内に順次供給することにより、時系列的に異なる色のオーロラを発生させることを特徴とする請求項１記載のオーロラ発生装置。
【請求項９】
所定の真空度に維持する維持手段により所定の真空度に維持された真空容器内に設けられたプラズマを発生させるための電極に、印加手段により電圧を印加するとともに、供給手段によりガスを供給することにより、上記供給したガスの種類の組み合わせに応じた色のオーロラを発生させるオーロラ発生方法であって、
上記真空容器内の、上記電極の近傍に設けられたガス供給口と上記電極から離れた位置に設けられたガス供給口から、上記供給手段により真空容器内に複数種類のガスを供給し、上記真空容器内の真空度及び上記印加手段により電極に印加する電圧値を制御するとともに、上記印加手段と上記電極との間に接続される可変抵抗体の抵抗値を制御することによって上記電極間に流れる電流値を制御して、上記真空容器内に供給するガスの種類の組み合わせに応じた空間的に異なる色のオーロラを発生させることを特徴とするオーロラ発生方法。
【発明の詳細な説明】
【技術分野】
【０００１】
本発明は、真空容器内にガスを供給しプラズマを発生させてオーロラの発生状況を表現するオーロラ発生装置及びオーロラ発生方法に関する。
【背景技術】
【０００２】
オーロラを人工的に発生させるための装置として、真空容器内にガスを供給してプラズマを発生させてオーロラの発生状況を再現するオーロラ発生装置がある。
【０００３】
このような真空放電を利用した従来のオーロラ発生装置は、特許文献１に示すように、真空容器内にガスを供給するとともに内部電極に高電圧を印加してガスを放電状態にすることによってプラズマを発生させる。さらにオーロラ発生装置は、真空容器外部からコイル等によって磁界を変化させることによりプラズマを移動させ、オーロラの発生状況を再現している。
【０００４】
【特許文献１】特開平１０−６３１８０号公報
【発明の開示】
【発明が解決しようとする課題】
【０００５】
しかしながら、従来のオーロラ発生装置では、オーロラの発生状況特有の色彩変化をきめ細かく表現することができない。
【０００６】
本発明は、このような実情に鑑みて提案されたものであり、従来に比べてきめ細かい色彩表現を可能とするオーロラ発生装置及びオーロラ発生方法を提供することを目的とする。
【課題を解決するための手段】
【０００７】
上述の課題を解決するために、本発明に係るオーロラ発生装置は、真空容器と、上記真空容器の内部を所定の真空度に維持する維持手段と、上記真空容器内にプラズマを発生させるためのガスを供給する供給手段と、上記真空容器内にプラズマを発生させるため上記真空容器内に設けられた電極と、上記電極に電圧を印加する印加手段と、上記維持手段と上記印加手段とを制御する制御手段とを備え、上記供給手段は、上記真空容器内の、上記電極の近傍に設けられたガス供給口と上記電極から離れた位置に設けられたガス供給口から、上記真空容器内に複数種類のガスを供給し、上記制御手段は、上記真空維持手段が維持する上記真空度、及び、上記印加手段が印加する電圧値を制御するとともに、上記印加手段と上記電極間に接続される可変抵抗体の抵抗値を制御することによって上記電極間に流れる電流値を制御して、上記真空容器内に供給するガスの種類の組み合わせに応じた空間的に異なる色のオーロラを発生させる。
【０００８】
また、本発明に係るオーロラ発生方法は、所定の真空度に維持された真空容器内に設けられたプラズマを発生させるための電極に電圧を印加するとともにガスを供給することにより、上記供給したガスの種類に応じた色のオーロラを発生させるオーロラ発生方法であって、上記真空容器内の、上記電極の近傍に設けられたガス供給口と上記電極から離れた位置に設けられたガス供給口から、上記真空容器内に複数種類のガスを供給し、上記真空容器内の真空度、及び、上記電極に印加する電圧値を制御するとともに、上記圧印加手段と上記電極間に接続される可変抵抗体の抵抗値を制御することによって上記電極間に流れる電流値を制御して、上記真空容器内に供給するガスの種類の組み合わせに応じた空間的に異なる色のオーロラを発生させる。
【発明の効果】
【０００９】
本発明は、電極の近傍に設けられたガス供給口と電極から離れた位置に設けられたガス供給口から、真空容器内に複数種類のガスを供給することによって、ガスの種類の組み合わせに応じた空間的に色が異なるオーロラの発生状況特有の色彩変化をきめ細かく表現することができる。
【発明を実施するための最良の形態】
【００１０】
以下、本発明を適用した具体的な実施の形態について、図面を参照しながら詳細に説明する。
【００１１】
＜＜第１の実施形態＞＞
オーロラ発生装置１は、図１に示すように、例えば、直方体形状の真空容器１０と、真空容器１０内を所定の真空度に維持するガス排気部１１と、真空容器１０内にガスを供給するガス供給部１２と、真空容器１０内に設けられた２つの放電電極１３ａ、１３ｂに電圧を印加する電源１４と、ガス排気部１１、ガス供給部１２及び電源１４を制御する制御部１５とから構成されている。なお、図１に示す真空容器１０の形状は、模式的に示したものであって、直方体に限定されるものではない。
【００１２】
次に、真空容器１０の構成について、図２に示す直交座標Ｘ、Ｙ、Ｚを用いて説明する。真空容器１０には、放電電極１３ａ、１３ｂが配設されるとともに、ガス排気口１６とガス供給口１７が形成され、さらに容器外壁面に整形コイル１８が設けられている。
【００１３】
放電電極１３ａ、１３ｂは、真空容器１０内に、Ｚ軸に対向した位置に配設されている。さらに、放電電極１３ａ、１３ｂは、例えば、一方がＸ−Ｙ平面上に配設された板形状であって、他方がＸ軸を長手方向とした棒形状を有している。ここで、便宜上、板形状の電極は放電電極１３ａとし、棒形状の電極は放電電極１３ｂとする。また、放電電極１３ａ、１３ｂは、それぞれ電源１４に接続されている。なお、放電電極１３ａ、１３ｂの形状は、棒及び板形状に限定されるものではない。
【００１４】
ガス排気口１６は、所定の管を介してガス排気部１１に接続されている。すなわち、真空容器１０は、ガス排気口１６から真空容器１０内のガスが排気されることにより真空容器１０内部を所定の真空度に維持する。
【００１５】
ガス供給口１７は、所定の管を介してガス供給部１２に接続されている。ここで、ガス供給口１７は、真空容器１０内の壁面に複数設けられており、それぞれ異なる種類のガスがガス供給部１２から供給される。すなわち、ガス供給部１２には、例えば、複数種類のガスが充填されたガスボンベ等が設けられており、それぞれ異なる種類のガスを真空容器１０内に供給する。
【００１６】
整形コイル１８は、Ｚ軸方向を軸として真空容器１０の外壁面を覆うように形成されている。すなわち、整形コイル１８は、電流が流されることにより、放電電極１３ａと放電電極１３ｂとの間にＺ軸方向の磁力線ｍを発生させる。ここで、磁力線ｍは、真空容器１０内に発生するプラズマの電流の流れと作用して電磁力が生じ、プラズマの形状を平板にすることができる。また、平板形状のプラズマの厚さ寸法は、磁力線ｍの強さに応じて変化する。
【００１７】
オーロラ発生装置１は、ガス排気口１６により真空放電が発生される程度（例えば、０．０１〜０．０２ｍｍＨｇ）程度に減圧された真空容器１０にガス供給口１７からガスが供給されるとともに放電電極１３ａ、１３ｂに高電圧が印加されることにより電極間にプラズマ１９が発生して、オーロラの発生状況を再現する。
【００１８】
ここで、真空容器１０内で発生されるプラズマ１９の発色は、ガス供給口１７から供給されるガスの種類によって変化する。
【００１９】
よって、制御部１５は、ガス供給口１７から真空容器１０内へ供給されるガスの種類を選択する。さらに、制御部１５は、所望とする色のプラズマ１９を発生させるため、真空容器１０内に供給されたガスの種類に応じて、真空容器１０内の真空度、及び、放電電極１３ａ、１３ｂ間に印加させる電圧値、及び、当該電圧に応じた放電電極１３ａ、１３ｂ間に流れる電流値を制御する。具体的に、制御部１５は、排気部１１を制御して真空容器１０内の真空度を変化させ、電源１４を制御して放電電極１３ａ、１３ｂ間に印加する電圧値を変化させる。また、電源１４と放電電極１３ａ、１３ｂとの間には、図示しない可変抵抗体が直列接続されている。よって、制御部１５は、この可変抵抗体の抵抗値を制御することにより、放電電極１３ａ、１３ｂ間に流れる電流値を変化させる。
【００２０】
以下では、制御部１５の制御方法に注目してオーロラ発生装置１の動作について実施例１〜３に分けて詳述する。
【００２１】
＜実施例１＞
本実施例の真空容器１０は、図３に示すように、放電電極１３ａ、１３ｂの電極間の略中央部分に２つのガス供給口１７ａ、１７ｂを設けるものとする。そして、制御部１５は、ガス供給部１２に、２つのガス供給口１７ａ、１７ｂからそれぞれ異なる種類のガスを供給させる。
【００２２】
具体的に本実施形態で用いる真空容器１０内に供給されるガスの種類は、ヘリウム、酸素、二酸化炭素、アルゴン、ネオンである。実際に、これらのガスを単独で真空容器１０に供給して放電させたプラズマの発色は、それぞれ図４（Ａ）に示すようになる。すなわち、ヘリウム、酸素、二酸化炭素、アルゴン、ネオンのそれぞれ対応するプラズマの発色は、緑色、黄色、青紫色、橙色、ピンクである。ここで、上述したガスの種類とプラズマの発色との間に一義的な対応関係がないが、制御部１５は、供給されるガスの種類に応じて、真空度、電圧値、電流値、及びガス注入量の各値を制御することにより、所望とする色のプラズマを発生させる。
【００２３】
一方、これらのガスから２種類を選択して、ガス供給口１７ａ、１７ｂから供給して放電したプラズマの発色は、図４（Ｂ）に示すようになる。すなわち、真空容器内にヘリウムと酸素を供給した場合には、プラズマが黄緑色に発色する。真空容器内にヘリウムと二酸化炭素を供給した場合には、プラズマが青白色に発色する。真空容器内にヘリウムとネオンを供給した場合には、プラズマが肌色に発色する。真空容器内にヘリウムとアルゴンを供給した場合には、プラズマが白色に発色する。ここで、制御部１５は、供給されるガスの種類に応じて、真空度、電圧値、電流値、ガス注入量及びガスの注入量に応じた混合比の各値を制御することにより、所望とする色のプラズマを発生させる。
【００２４】
このように、オーロラ発生装置１は、制御部１５がガスの種類、真空度及び放電電極１３間に印加する電圧値をそれぞれ制御することにより、多くのプラズマの発色種類から所望とする色を選択して発色するので、オーロラの発生状況特有の色彩変化をきめ細かく表現することができる。
【００２５】
＜実施例２＞
本実施例に係るオーロラ発生装置１には、図５に示すように、例えば放電電極１３ａ、１３ｂの電極間にガス供給口１７ａを配設し、放電電極１３ｂの近傍にガス供給口１７ｂを配設する。具体的に、放電電極１３ｂの近傍に配設されたガス供給口１７ｂは、放電電極１３ｂと同じ棒形状からなるものとする。なお、ガス供給口は、真空容器内に２箇所配設される場合に限らず、電極近傍及びそれ以外に分け、複数箇所に設けるようにしても良い。
【００２６】
そして、真空容器１０内に、ガス供給口１７ａから窒素を注入している状態で、ガス供給口１７ｂからヘリウムを注入した場合には、放電電極１３ａ側が放電状態の窒素により赤紫色に発色し、放電電極１３ｂ側が放電状態のヘリウムにより緑色に発色する。また、このプラズマの発色現象は、ヘリウムの注入量の増加に応じて、緑色に発色する範囲が拡大する。なお、制御部１５は、実施例１の場合と同様、ガスの供給を制御するとともに、真空容器１０内の真空度と放電電極１３間に印加する電圧値とこの電圧値に応じた電流値を制御している。
【００２７】
ところで、真空容器１０内に、ガス供給口１７ａからヘリウムを注入している状態で、ガス供給１７ｂから窒素を注入した場合には、上述したように２つの放電電極１３ａ、１３ｂ側でそれぞれのガスの種類に応じた発色が分離せずに混ざり合ってしまう。この原因としては、図６に示すように、ヘリウム原子Ｈｅの大きさが窒素原子Ｎに比べて非常に小さく、ヘリウム原子Ｈｅよりも窒素原子Ｎの方に電子ｅ―が多く衝突するため、ヘリウム原子Ｈｅのほとんどが放電状態にならないと考えられる。
【００２８】
したがって、電子が流れる方向、すなわちカソード電極を放電電極１３ｂとして、ガス供給口１７ｂからヘリウムガスを注入させることにより、ヘリウム原子を電子と衝突しやすくする。このようにすると、装置の上部側をアノード電極、底部側をカソード電極として電極間から窒素を注入した状態でカソード電極近傍からヘリウムガスを注入させた場合には、図７（Ａ）に示すように、上部側が赤紫色（プラズマ１９ａ）に底部側が緑色（プラズマ１９ｂ）のオーロラ現象を再現することができる。これと同様に、装置の上部側をカソード電極、底部側をアノード電極として電極間から窒素を注入した状態でカソード電極近傍からヘリウムガスを注入させた場合には、図７（Ｂ）に示すように、上部側が緑色（プラズマ１９ｂ）に底部側が赤紫色（プラズマ１９ａ）のオーロラ現象を再現することができる。図７では、プラズマ１９ａとプラズマ１９ｂの色の違いを、互いに斜線方向が異なる図形で表している。
【００２９】
ここで、図７では２つの異なる色のプラズマを発光させるオーロラ発生装置１を模式的に示しているが、図８に示す構成のオーロラ発生装置１によって実際に２つの異なる色のプラズマを発光することが確認されている。よって、以下では図８に示すオーロラ発生装置１の各構成について具体的に説明する。
【００３０】
真空容器１０の形状は、長手方向が３，０００［ｍｍ］で直径が１５０［ｍｍ］の円筒形状からなる。真空容器１０の両端部には、それぞれ放電電極１３ａ，１３ｂが配設されている。そして、真空容器１０内の放電電極１３ａ，１３ｂ近傍には、それぞれガス供給口１７ａ，１７ｂが配設されている。また、真空容器１０の何れか一方の端部、例えば、図８に示すように放電電極１３ｂが配設されてなる端部には、ガス排気口１６が配設されている。さらに、真空容器１０には、例えば、その外周面に６個の整形コイル１８が配設されている。整形コイル１８は、真空容器１０の長手方向に対してそれぞれ等間隔（５３０ｍｍ）毎に配設されている。また、真空容器１０の端部に最も近い位置に配設されている整形コイル１８からこの端部までの距離は、両端ともに１７５ｍｍとなっている。整形コイル１８は、コイル用電源１８ａから電力が供給されることにより、真空容器１０内へ磁力線ｍを発生する。
【００３１】
排気部１１は、真空ポンプ１１ａ、ガス排気口１６から真空ポンプ１１ｂへの排気流量を調節するバルブ１１ｂ、及び真空容器１０内の真空度を計測する圧力計１１ｃとから構成されている。
【００３２】
ガス供給部１２は、それぞれ異なるガスが充填されているガスボンベ１２ａ，１２ｂと、ガスボンベ１２ａ，１２ｂからそれぞれガス供給口１７ａ，１７ｂへ供給するガスの注入量を調節するバルブ１２ｃ，１２ｄとから構成されている。
【００３３】
放電電極１３ａ、１３ｂは、真空容器１０の両端部にそれぞれ配設されている。同様に、ガス供給口１７ａ，１７ｂも真空容器１０の両端部にそれぞれ配設されている。すなわち、ガス供給口１７ａ，１７ｂは放電電極１３ａ，１３ｂ近傍に配設されている。
【００３４】
電源部１４は、放電電極１３ａと放電電極１３ｂとの間に印加される電圧値、及び、この間に流れる電流値を調節する電流・電圧調節部１４ａが設けられている。
【００３５】
以上のように、オーロラ発生装置１を構成することによって、２色の異なるプラズマを発生させることにより、オーロラの発生現象特有の色彩変化をきめ細かく表現できる。
【００３６】
＜実施例３＞
本実施例に係るオーロラ発生装置１は、実施例１及び実施例２に係る真空容器１０を備えるものであって、ガス供給部１２に、図９に示すガス供給口１７へ注入される複数種類のガスを切り換える切換部１２ｅが設けられている。具体的に、ガス供給部１２は、ヘリウム、酸素、二酸化炭素、窒素、アルゴン、ネオンの複数種類のガスを備え、切換部１２ｅにより、これら複数種類のガスからいずれか２種類のガスが選択されてガス供給口１７から真空容器１０内へ供給する。ここで、切換部１２ｅは、ガス供給部１２と同様に、制御部１５によって、その動作が制御される。そして、制御部１５は、ガス供給口１７へ供給させるガスの種類を順次変更することにより、時系列的に異なる色のプラズマを発光させることができる。
【００３７】
このように実施例１に示すように、オーロラ装置１は、真空容器１０内に供給するガスの種類の組み合わせに応じた色のオーロラを発生することができる。さらに、実施例２に示すように、オーロラ装置１は、制御部１５がガスの種類や注入量を制御することにより、オーロラの発生状況特有の色彩変化をよりきめ細かく表現することができ、実施例３に係る切換部１２ｅを用いることにより、時系列的に色彩を変化させることもできる。
【００３８】
＜＜第２の実施形態＞＞
真空容器１０内で発生されるオーロラに動きを与えるため、第１の実施形態のオーロラ発生装置１の構成に変形を加えた第２の実施形態について以下説明する。
【００３９】
オーロラ発生装置１は、図１０に示すような、放電電極１３ａ、１３ｂに該当する部分にフレキシブル放電電極２０を用いる。フレキシブル放電電極２０は、この電極のＸ軸方向の複数箇所に接続された電極駆動部２１を有する。電極駆動部２１は、例えばシリンダ機構などを用いて伸縮動作をすることにより、フレキシブル放電電極２０との接続点をＹ軸方向に変位させる。すなわち、フレキシブル電極２０は、電極駆動部２１により、この電極を自由にＹ軸方向に撓ませることができる。
【００４０】
なお、電極駆動部２１は、シリンダ機構に限らず、フレキシブル放電電極２０をＹ軸方向に機械的に撓ませられる機構であれば良く、例えばリンク機構やカム機構などをステッピングモータによって駆動して機械的に撓ませるようにしても良い。
【００４１】
したがって、オーロラ発生装置１は、フレキシブル放電電極２０をＹ軸方向に撓ませることにより、真空容器１０内において平板状のプラズマの一方の端部が撓む、いわゆるカーテン形状のプラズマとなり、より現実的なオーロラの動きを表現することができる。
【００４２】
また、オーロラ発生装置１は、棒形状の放電電極１３ａ、１３ｂに該当する部分に配列電極群２２を用いる。ここで、配列電極群２２は、図１１に示すように、多数の電極素子を格子状に配列して形成されたものである。具体例として、配列電極群２２は、図１１に示すドット部分の電極が電源に接続されると、実質的にＹ軸を振幅方向としたサインカーブを描く電極として作用する。したがって、配列電極群２２において電極として作用するドット部分を変化させることにより、上述したフレキシブル放電電極２０と同様にカーテン形状からなるプラズマを形成することができる。
【００４３】
また、オーロラ発生装置１は、真空容器１０の外壁面に備えられるプラズマを平板状にする整形コイル１８とともに、図１２に示すようにＹ軸方向の磁力線Ｍ、Ｍ’を発生させる偏向コイル２３を配設する。
【００４４】
具体的に、偏向コイル２３は、真空容器１０のＸ−Ｙ平面上の外壁面に３×３に配列し、発生されたプラズマに対してそれぞれＹ軸方向に磁力線Ｍ、Ｍ’を与えることにより電極間に発生されるプラズマを屈曲させ、実際のオーロラの動きを表現することができる。
【００４５】
このように、オーロラ発生装置１は、放電電極の変形、及び、磁界の変化によって、プラズマの形状を変化する。例えば、オーロラ発生装置１は、放電電極の変形、及び、磁界の変化を制御して、音楽に合わせてオーロラを変形させることもできる。
【００４６】
以上のように、オーロラ発生装置１は、第１の実施形態によるプラズマの発色変化と、第２の実施形態によるプラズマの形状変化により、オーロラの発生状況特有の色彩変化及び動きをきめ細かく表現することができる。したがって、本実施形態に係るオーロラ装置１は、従来のものに比べて、オーロラの発生状況をより現実的なものとするので、観察者に迫力のある擬似オーロラ現象を提供することができる。
【００４７】
ところで、上述したように、オーロラ発生装置１に係る真空容器を模式的に示したが、例えば、実際にガスを放電して図４に示す結果が得られたオーロラ発生装置１では、図１３（Ａ）に示す形状、寸法（縦３，０００ｍｍ×横３，０００ｍｍ×奥行き１，５００ｍｍ）の真空容器１０が用いられている。また、真空容器１０内に配設される放電電極１３ａ、１３ｂは、図１３に示さないが、各電極の長手方向の長さが２，０００ｍｍ、２つの電極間の距離が３，０００ｍｍとなっている。
【００４８】
また、真空容器１０は、図１３（Ｂ）に示すように、その外枠が支持フレームによって支持され、真空容器１０の縦方向に整形コイル１８が設けられ、真空容器１０の奥行き方向に変更コイル２３が設けられている。さらに、真空容器１０には、この真空容器１０の正面からオーロラ現象を見るために外壁面に密接したアクリル板２５と、このアクリル板２５が転倒するのを防止するためのアクリル板押さえ２６が設けられている。このアクリル板２５は、真空容器１０内の真空度に耐圧可能な程度の厚みとなっている。支持フレームの各角には、ゆがみを防止するためのターンバックル２７が設けられている。さらに、支持フレームを含む真空容器１０の周囲には、真空容器１０の正面、すなわちアクリル板２５からなる面、及び、この正面に相対向する背面以外の周囲の面を覆う鉄板２８が設置される。この鉄板２８は、整形コイル１８が発生する磁力線ｍの拡散を防いで真空容器１０内に一様の磁力線ｍを生じさせ、プラズマを均一な平面形状にすることができる。なお、鉄板２８に限らず、磁力線ｍの拡散を防いで真空容器１０内に一様の磁力線ｍを生じさせるものであれば、他の金属製の板を用いるようにしてもよい。
【００４９】
なお、本発明は上述した実施の形態のみに限定されるものではなく、本発明の要旨を逸脱しない範囲において種々の変更が可能であることは勿論である。
【図面の簡単な説明】
【００５０】
【図１】オーロラ発生装置を模式的に示すブロック図である。
【図２】真空容器に設けられる構成を示す斜視図である。
【図３】真空容器を模式的に示す図である。
【図４】ガスの種類、真空度及び放電電極間に印加する電圧値を制御することによって、発色される色の種類を示す図である。
【図５】真空容器を模式的に示す図である。
【図６】放電状態のガスにおける電子の流れを模式的に示す図である。
【図７】２色のオーロラを発光させる工程を模式的に示す図である。
【図８】２色のオーロラを発生させるオーロラ発生装置の具体的構成を示す図である。
【図９】オーロラ発生装置を模式的に示す図である。
【図１０】フレキシブル放電電極の形状を示す斜視図である。
【図１１】配列電極群を示す斜視図である。
【図１２】変更コイルが設けられた真空容器を示す斜視図である。
【図１３】実際にオーロラ発生装置に適用される真空容器の形状、寸法を示す斜視図（Ａ）と、真空容器の周囲に設けられる構成を示す斜視図（Ｂ）である。
【符号の説明】
【００５１】
１  オーロラ発生装置、１０  真空容器、１１  ガス排気部、１２  ガス供給部、１３  放電電極、１４  電源、１５  制御部、１６  ガス排気口、１７  ガス供給口、１８  整形コイル、１９  プラズマ、２０  フレキシブル放電電極、２１  電極駆動部、２２  配列電極群、２３  変更コイル、２５  アクリル板、２６  アクリル板押さえ、２７  ターンバックル、２８  鉄板
【図１】
0004707065.tif 000002
【図２】
0004707065.tif 000003
【図３】
0004707065.tif 000004
【図４】
0004707065.tif 000005
【図５】
0004707065.tif 000006
【図６】
0004707065.tif 000007
【図７】
0004707065.tif 000008
【図８】
0004707065.tif 000009
【図９】
0004707065.tif 000010
【図１０】
0004707065.tif 000011
【図１１】
0004707065.tif 000012
【図１２】
0004707065.tif 000013
【図１３】
0004707065.tif 000014